(57)【要約】【課題】耐久性に富み、且つ光を確実に視認させることが可能な光線剣を提供する。【解決手段】光を入射した方向に反射させる反射部１１を設ける。【選択図】図１
2006218214.tif 000002
【特許請求の範囲】
【請求項１】
棒状であり、光を入射した方向に反射させる反射手段を備えることを特徴とする光線剣。
【請求項２】
前記反射手段の端部側に配置され、人体の手部により把持可能に構成された把持手段を備えることを特徴とする請求項１に記載の光線剣。
【請求項３】
前記反射手段を当該反射手段の長手方向軸を中心として回転させる回転手段を備えることを特徴とする請求項１又は２に記載の光線剣。
【請求項４】
前記反射手段を振動させる振動手段を備えることを特徴とする請求項１乃至３のいずれか１項に記載の光線剣。
【発明の詳細な説明】
【技術分野】
【０００１】
本発明は、主に玩具として用いられる光線剣に関する。
【背景技術】
【０００２】
光線剣（ライトサーベル）とは、空想上の武器であり、実在の刀剣であれば金属が用いられている刃の部分が言うなれば光そのもので構成されている。
【０００３】
この光線剣を模した玩具は複数存在し、その一例としては、内蔵した光源により刃の部分を発光させるものが挙げられる（例えば、特許文献１参照）。
【特許文献１】実用新案登録第３０８３９７７号公報
【発明の開示】
【発明が解決しようとする課題】
【０００４】
しかしながら、上記のような遊戯用光線剣は、何らかの衝撃により光源が破損する可能性がある。
【０００５】
また、角度によっては、この光線剣のユーザや他者が光を視認することが困難となる場合もある。
【０００６】
このような事情に鑑み本発明は、耐久性に富み、且つ光を確実に視認させることが可能な光線剣を提供することを目的とする。
【課題を解決するための手段】
【０００７】
請求項１に記載の本発明は、棒状であり、光を入射した方向に反射させる反射手段を備えることを要旨とする。
【０００８】
請求項２に記載の本発明は、請求項１に記載の発明において、反射手段の端部側に配置され、人体の手部により把持可能に構成された把持手段を備えることを要旨とする。
【０００９】
請求項３に記載の本発明は、請求項１又は２に記載の発明において、反射手段を当反射手段の長手方向軸を中心として回転させる回転手段を備えることを要旨とする。
【００１０】
請求項４に記載の本発明は、請求項１乃至３のいずれか１項に記載の発明において、反射手段を振動させる振動手段を備えることを要旨とする。
【発明の効果】
【００１１】
本発明の光線剣は、破損の可能性がある光源を備えない。このため、光線剣全体の耐久性を向上させることができる。
【００１２】
また、本発明の光線剣は、外部から照射された光を入射した方向に反射させる反射手段を備える。このため、光を照射した者に反射光、つまり光線剣の刃の部分を確実に視認させることができる。
【発明を実施するための最良の形態】
【００１３】
以下、本発明の実施例について説明するが、これらの実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。
【実施例１】
【００１４】
図１は、本発明の第１の実施例（実施例１）に係る光線剣本体１の斜視図であり、図２は、装着部（以下、“ヘッドギア”とする）２ａの斜視図である。  
この光線剣本体１及び装着部２ａは、主に遊戯や映画等の撮影に使用するためのものである。なお、以降の説明においては、適宜、これらの光線剣本体１及びヘッドギア２ａを“光線剣装置”と総称する。
【００１５】
図１に示すように、光線剣本体１は、実在の刀剣の刃の部分に相当するカバー部１１及び反射部１２と、柄の部分に相当する把持部１３とを備える。
【００１６】
反射部１２は、棒状であり、表面が再帰性反射材により構成されている。なお、再帰性反射材の詳細については後述する。
【００１７】
カバー部１１は、透明な部材であり、上記の反射部１２を包周し、これを保護する。
【００１８】
把持部１３は、その形状が人間の手によって把持可能なように調整されており、上記のカバー部１１及び反射部１２の端部側に位置している。
【００１９】
スイッチ部１４は、後述する機能のオン・オフ等を行うためのものであり、親指等で操作が可能なように位置・形状等が調整されている。
【００２０】
また、図３に示すように、把持部１３の内部には、スイッチ部１４の他に、電源部１５、モータ部１６、検知部１７及び信号送信部１８が設けられている。なお、これらの詳細については後述する。
【００２１】
次に、図２を参照しつつ、ヘッドギア２ａの構成について説明する。  
ヘッドギア２ａは、人体の頭部に装着するものであり、光源部２１ａと、ハーフミラー部２２と、音声送出部２３と、バンド状の固定部２７とを備える。
【００２２】
光源部２１ａ及びハーフミラー部２２は、上記の反射部に光を照射するためのものである。
【００２３】
音声送出部２３は、ユーザに対して効果音等を送出するためのものであり、ユーザの耳介に固定されるイヤホン等を含む。
【００２４】
なお、上記の光源部２１ａ、ハーフミラー部２２及び音声送出部２３に詳細については後述する。
【００２５】
また、図３に示すように、ヘッドギア２ａは、上記の光源部２１ａ、ハーフミラー部２２及び音声送出部２３の他に、電源部２４、スイッチ部２５、信号受信部２６を備える。
【００２６】
次に、図３を参照しつつ、本発明の光線剣装置の機能の詳細について説明する。  
前記のとおり、本発明の光線剣装置及び従来の光線剣の主な用途は遊戯である。この遊戯の一例としては、複数の人間が光線剣本体を所持し、模擬戦を行うことが挙げられる。この場合、自分の光線剣から発せられる光は無論のこと、相手の光線剣から発せられる光を確実に視認できることが不可欠である。
【００２７】
しかしながら、前記のとおり、従来の光線剣においては、複数の人間の位置関係等によっては内蔵した光源から発せられる光を視認できなくなる場合がある。
【００２８】
また、模擬戦においては、光線剣の刃の部分同士を接触させるため、この際の衝撃により光源が破損してしまう場合もある。
【００２９】
これに対して、本発明においては、光源が光線剣本体１の外部、つまりヘッドギア２ａに設けられている。
【００３０】
この光源部２１ａは、電源部２４に接続されており、斜め下方に光３１を発する。この光３１は、ハーフミラー部２２により反射される。
【００３１】
光源部２１ａとハーフミラー部２２とは、このハーフミラー部２２により反射された光の進行方向がヘッドギア２ａを装着した人間（以下、適宜“装着者”と呼称する）の視線方向と一致するように、取り付け角度等が調整され、強固に固定されている。
【００３２】
ハーフミラー部２２により反射された光は、光線剣本体１の反射部１２により反射される。
【００３３】
前記のとおり、反射部１２は、再帰性反射材により形成されている。この再帰性反射材には、表面に複数個のガラスビーズが配置されており、これにより光３１の入射角と出射角とを等しくすることができる。つまり、この再帰性反射材は、光３１を常に入射した方向に反射させる。
【００３４】
このように入射方向に反射された光３１（反射光３２）は、ハーフミラー部２２を通過し、装着者の眼球に入射する。すなわち、視認すべき光を装着者自身の側から発し、反射部１２に反射させ、これを視認する。
【００３５】
したがって、装着者は、光線剣本体１の方向に頭を向け、これを視認するだけで、反射光３２、つまりは光線剣本体１の刃に相当する部分を確実に視認することができる。
【００３６】
なお、本図においては、装着者が模擬戦の相手の光線剣本体１を目視している場合を示したが、装着者は、自分の使用している光線剣（図中の１と同様のもの）の刃の部分も反射部（図中の１２と同様のもの）の作用により視認することができる。
【００３７】
また、前記のとおり、光源部２１ａを衝撃が加わる光線剣本体１の内部ではなく、外部に設けているため、この光源部２１ａが損傷することを防止できる。
【００３８】
なお、上記の再帰性反射材の種類としては、ガラスビーズが樹脂に封止されている封入レンズ型や、樹脂とガラスビーズとの間に空気層が設けられたカプセルレンズ型等が挙げられるが、本実施例においては、露出レンズ型再帰性反射材を用いる。これは、ガラスビーズが露出しているものであり、反射特性に優れ、加工も容易であるため、反射部１２に好適である。
【００３９】
また、前記のとおり、光線剣本体１のモータ部１６は、電源部１５と接続されており、反射部１２を、その長手方向軸を回転中心として回転させ、さらに振動させる。これにより、装着者により高い視覚効果、例えば、フリッカー（ちらつき）やハロー（光背）を与えることができる。
【００４０】
また、カバー部１１や反射部１２に色付きのセロファン等のカラーフィルムを貼付することや、半透明の塗料を用いて着色することにより反射光３２の色を任意に変更することも可能である。
【００４１】
また、着色されたガラスビーズを備える再帰性反射材を用いてもよい。
【００４２】
また、光源部２１ａが有色光を発する構成としてもよく、この場合は、赤色発光ダイオードや青色発光ダイオード等が用いられる。
【００４３】
また、検知部１７は、模擬戦等において、カバー部１１が相手方の光線剣本体（図中の１ａと同様のもの）等に接触した際、これを検知する。
【００４４】
信号送信部１８は、検知部１７が接触を検知すると、その旨を示す信号を送信する。
【００４５】
ヘッドギア２ａの信号受信部２６は、この装着者が使用している光線剣（図中の１と同様のもの）の信号送信部（図中の１８と同様のもの）から送信された信号を受信し、音声送出部２３は、受信された信号に基づいて装着者に対して効果音を送出する。
【００４６】
スイッチ部２５は、上記の音声送出部２３のＯＮ／ＯＦＦ、効果音の音量等の選択を行うためのものである。
【００４７】
なお、上記の接触の程度、つまりカバー部１１にかかった力の大きさに応じて効果音の音色や音量を変化させる構成とすることもできる。
【００４８】
また、カバー部１１が物体に接触した際だけでなく、スイッチ部１４や２５がＯＮにされた場合や、光線剣本体が上下左右に振られた場合にも効果音を送出する構成とすることもできる。
【００４９】
このように効果音を送出することにより、装着者により高い臨場感を与えることができる。
【実施例２】
【００５０】
図４は、本発明の第２の実施例（実施例２）に係る装着部（ヘッドギア）２ｂの斜視図である。  
図２及び図３上記のヘッドギア２ａにおいては、光源部２１ａから発せられた光３１をハーフミラー部２２で反射させていたが、本実施例のヘッドギア２ｂは、ハーフミラー部２２を設けず、光源部２１ａに代えて光源部２１ｂを設けている。
【００５１】
この光源部２１ｂは、装着者の眼球により近い部分、つまり眉間の近傍に配置されており、このため、ハーフミラーといった他の部材を解さずに、装着者の視線方向と同じ方向に光を発するとともに、これを装着者に視認させることができる。
【実施例３】
【００５２】
図５は、本発明の第３の実施例（実施例３）に係る装着部（ヘッドギア）２ｃの斜視図である。  
図４のヘッドギア２ｂにおいては、光源部２１ｂが装着者も眉間に近傍に配置されている場合を示したが、図５に示すように、装着者の耳介入の上部に配置された光源部２１ｃを備える構成とすることもできる。
【００５３】
この光源部２１ｃは、光源部２１ｂと同様に、ハーフミラーといった他の部材を介さずに、装着者の視線方向と同じ方向に光を発するとともに、これを装着者に視認させることができる。
【００５４】
なお、上記の実施例１においては、反射部１１に露出レンズ型再帰性反射材を用いている場合を示したが、これに限定されず、他の再帰性反射材を用いることもできる。
【００５５】
以上のとおり、本発明の光線剣は、破損の可能性がある光源を備えない。このため、光線剣全体の耐久性を向上させることができる。
【００５６】
また、本発明の光線剣は、外部から照射された光を入射方向に反射させる反射部を備える。このため、光を照射した者に光線剣の刃の部分を確実に視認させることができる。
【００５７】
また、本発明の光線剣は、装着者に効果を送出する音声送出部を備える。このため、装着者に高い臨場感を与えることができる。
【図面の簡単な説明】
【００５８】
【図１】本発明の第１の実施例に係る光線剣本体の斜視図である。
【図２】本発明の第１の実施例に係る装着部（ヘッドギア）の斜視図である。
【図３】光線剣本体と装着部の機能を説明するための図である。
【図４】本発明の第２の実施例に係る装着部の斜視図である。
【図５】本発明の第３の実施例に係る装着部の斜視図である。
【符号の説明】
【００５９】
１    光線剣本体
２ａ、２ｂ、２ｃ    装着部（ヘッドギア）
１１    反射部
１２    カバー部
１３    把持部
１４    スイッチ部
１５    電源部
１６    モータ部
１７    検知部
１８    信号送信部
２１ａ、２１ｂ、２１ｃ    光源部
２２    ハーフミラー部
２３    音声送出部
２４    電源部
２５    スイッチ部
２６    信号受信部
２７    固定部
３１    照射光
３２    反射光
【図１】
2006218214.tif 000003
【図２】
2006218214.tif 000004
【図３】
2006218214.tif 000005
【図４】
2006218214.tif 000006
【図５】
2006218214.tif 000007